(57)【要約】本発明は、ＵＭＴＡ無線アクセスネットワークにおけるデータ送信の初期化に係わる時間遅延を低減させるための方法及び構成に関する。無線ネットワーク制御局（ＲＮＣ）１０２はＵＴＭＳネットワークと複数のユーザ機器（ＵＥ，１０８）と接続可能である。これらＵＥは、ＵＲＡ＿ＰＣＨ、ＣＥＬＬ＿ＰＣＨ、ＣＥＬＬ＿ＦＡＣＨ、またはＣＥＬＬ＿ＤＣＨ状態となることができ、データ送信開始メッセージを処理する手段と、そのデータ送信開始メッセージで遅延低減情報を受信する手段と、そのデータ送信開始メッセージにおける遅延低減情報によって、ＵＥをＵＲＡ＿ＰＣＨまたはＣＥＬＬ＿ＰＣＨ状態からＣＥＬＬ＿ＤＣＨ状態に直接に移行させる手段とを有する。
2007522763.tif 000002
【特許請求の範囲】
【請求項１】
ＵＲＡ＿ＰＣＨ状態、ＣＥＬＬ＿ＰＣＨ状態、またはＣＥＬＬ＿ＤＣＨ状態となることができるユーザ機器（ＵＥ）に接続可能な少なくとも一つの無線ネットワーク制御局（ＲＮＣ）を含むＵＴＭＳ陸上無線アクセスネットワーク（ＵＴＲＡＮ）において、前記ＵＥからデータ送信を開始するためのユーザ機器（ＵＥ）での方法であって、前記方法は、
前記ＵＥによってデータ送信開始メッセージに遅延低減情報を導入する工程と、
前記ＵＥによって前記データ送信開始メッセージを送信する工程と、
前記データ送信開始メッセージにおける前記遅延低減情報によって、前記ＵＥを、前記ＵＲＡ＿ＰＣＨ状態またはＣＥＬＬ＿ＰＣＨ状態から直接に前記ＣＥＬＬ＿ＤＣＨ状態に移行させるための情報を有する前記ＲＮＣからメッセージを受信する工程とを有することを特徴とする方法。
【請求項２】
前記データ送信開始メッセージは、ＵＥによって送信されたアップリンクセル更新メッセージであることを特徴とする請求項１に記載の方法。
【請求項３】
前記遅延低減情報は、送信されるデータのトラフィック量が予め設定された閾値以上であるかどうかについての情報を有することを特徴とする請求項１又は２に記載の方法。
【請求項４】
前記遅延低減情報は、送信されるデータがユーザベアラで利用可能であるか、または、シグナリングベアラで利用可能であるかについての情報をさらに有することを特徴とする請求項３に記載の方法。
【請求項５】
前記遅延低減情報は、前記セル更新メッセージの拡張で指示されることを特徴とする請求項２乃至４のいずれかに記載の方法。
【請求項６】
前記拡張は、少なくとも一つの専用フラグを有することを特徴とする請求項５に記載の方法。
【請求項７】
前記拡張は、現在予約されたコードポイント、即ち、現存するセル更新メッセージに余分の値を含むことを特徴とする請求項２乃至４のいずれかに記載の方法。
【請求項８】
前記ＲＮＣからメッセージを受信する工程は、さらに
前記ＲＮＣからセル更新確認メッセージを受信する工程と、
前記無線ベアラ構成完了メッセージを前記ＲＮＣに送信する工程とを有することを特徴とする請求項２乃至７のいずれかに記載の方法。
【請求項９】
ＵＲＡ＿ＰＣＨ状態、ＣＥＬＬ＿ＰＣＨ状態、またはＣＥＬＬ＿ＤＣＨ状態となることができるユーザ機器（ＵＥ）に接続可能な少なくとも一つのＲＮＣ（無線ネットワーク制御局）を有するＵＭＴＳ陸上無線アクセスネットワーク（ＵＴＲＡＮ）において、前記ＲＮＣからデータ送信を開始するためのＲＮＣでの方法であって、前記方法は、
前記ＲＮＣによってデータ送信開始メッセージに遅延低減情報を導入する工程と、
前記ＲＮＣによって前記データ送信開始メッセージを送信する工程と、
前記データ送信開始メッセージにおける前記遅延低減情報によって、前記ＵＥを、前記ＵＲＡ＿ＰＣＨ状態またはＣＥＬＬ＿ＰＣＨ状態から直接に前記ＣＥＬＬ＿ＤＣＨ状態に移行させるための情報を含む前記ＲＮＣから更なるメッセージを送信する工程とを有することを特徴とする方法。
【請求項１０】
前記データ送信開始メッセージは、前記ＵＴＲＡＮによって送信されたダウンリンク呼出メッセージであることを特徴とする請求項９に記載の方法。
【請求項１１】
前記遅延低減情報は、情報パラメータである、物理及び転送チャネル構成パラメータと、コード割当及び無線ベアラ構成と、アイデンティティパラメータＵ−ＲＮＴＩの内のいずれかを含むことを特徴とする請求項９又は１０に記載の方法。
【請求項１２】
前記遅延低減情報はさらに、少なくともアップリンク専用物理チャネル（ＤＰＣＨ）関連情報、ダウンリンクＤＰＣＨ関連情報、ダウンリンク無線リンク関連情報、電力制御構成、或は潜在的な高速ダウンリンク共用チャネル（ＨＳ−ＤＳＣＨ）構成を含むことを特徴とする請求項１１に記載の方法。
【請求項１３】
前記呼出メッセージの拡張に前記遅延低減情報を指示する工程をさらに有することを特徴とする請求項１１又は１２に記載の方法。
【請求項１４】
前記拡張に前記遅延低減情報を明示的に指示する工程をさらに有することを特徴とする請求項１３に記載の方法。
【請求項１５】
前記遅延低減情報を含む以前に送信されたダウンリンクメッセージに対するポインタによって、前記拡張における前記遅延低減情報を指示する工程を有することを特徴とする請求項１３に記載の方法。
【請求項１６】
前記送信する工程は、前記ＵＥから無線ベアラ再構成完了メッセージを受信する工程を含むことを特徴とする請求項１０乃至１４のいずれかに記載の方法。
【請求項１７】
ＵＲＡ＿ＰＣＨ状態、ＣＥＬＬ＿ＰＣＨ状態、またはＣＥＬＬ＿ＤＣＨ状態となることができるユーザ機器（ＵＥ）に接続可能な少なくも一つの無線ネットワーク制御局（ＲＮＣ）を有するＵＭＴＳ陸上無線アクセスネットワーク（ＵＴＲＡＮ）において、前記ＲＮＣからデータの送信を開始するために、呼出チャネル（ＰＣＨ）で呼出メッセージを前記ＵＥに送信する工程と、前記ＵＥからセル更新メッセージを受信する工程とを有するＲＮＣでの方法であって、前記方法はさらに、
フォワードアクセスチャネル（ＦＡＣＨ）でセル更新確認メッセージを送信する工程と、
前記ＵＥを、前記ＵＲＡ＿ＰＣＨまたはＣＥＬＬ＿ＰＣＨ状態から直接に前記ＣＥＬＬ＿ＤＣＨ状態に移行させる工程を有することを特徴とする方法。
【請求項１８】
ＵＴＭＳネットワークにおいて無線ネットワーク制御局（ＲＮＣ、１０２）に接続可能であり、ＵＲＡ＿ＰＣＨ状態、ＣＥＬＬ＿ＰＣＨ状態、ＣＥＬＬ＿ＦＡＣＨ状態、またはＣＥＬＬ＿ＤＣＨ状態となることができデータ送信開始メッセージを処理する手段を有するユーザ機器（ＵＥ、１０８）であって、
データ送信開始メッセージに遅延低減情報を導入する手段と、
前記データ送信開始メッセージを送信する送信器と、
前記データ送信開始メッセージにおける前記遅延低減情報によって、前記ＵＥ（１０８）を前記ＵＲＡ＿ＰＣＨまたはＣＥＬＬ＿ＰＣＨ状態から直接に前記ＣＥＬＬ＿ＤＣＨ状態に移行させるための情報を含む前記ＲＮＣ（１０２）からのメッセージを受信する受信器とを有することを特徴とするユーザ機器。
【請求項１９】
前記データ送信開始メッセージは、ＵＥによって送信されたアップリンクセル更新メッセージであることを特徴とする請求項１８に記載のユーザ機器。
【請求項２０】
前記遅延低減情報は、送信されるデータのトラフィック量が予め設定された閾値以上であるかどうかについての情報を有することを特徴とする請求項１８又は１９に記載のユーザ機器。
【請求項２１】
前記遅延低減情報はさらに、送信されるデータがユーザベアラで利用可能であるか、或はシグナリングベアラで利用可能であるかについての情報を有することを特徴とする請求項２０に記載のユーザ機器。
【請求項２２】
前記遅延低減情報は、前記セル更新メッセージの拡張で指示されることを特徴とする請求項１９乃至２１のいずれかに記載のユーザ機器。
【請求項２３】
前記拡張は、少なくとも一つの専用フラグを有することを特徴とする請求項２２に記載のユーザ機器。
【請求項２４】
前記拡張は、現在予約されたコードポイント、即ち、現存するセル更新メッセージに余分の値を有することを特徴とする請求項１９乃至２１のいずれかに記載のユーザ機器。
【請求項２５】
前記ＲＮＣからメッセージを受信する受信器は、さらに、
前記ＲＮＣからセル更新確認メッセージを受信する手段と、
無線ベアラ構成完了メッセージを前記ＲＮＣに送信するための手段とを含むことを特徴とする請求項１９乃至２４のいずれかに記載のユーザ機器。
【請求項２６】
前記データ送信開始メッセージは、前記ＲＮＣによって送信されたダウンリンク呼出メッセージであることを特徴とする請求項１８に記載のユーザ機器。
【請求項２７】
前記遅延低減情報は、情報パラメータである、物理及び転送チャネル構成パラメータと、コード割当及び無線ベアラ構成と、アイデンティティパラメータ（Ｕ−ＲＮＴＩ）の内のいずれかを含むことを特徴とする請求項１８又は２６に記載のユーザ機器。
【請求項２８】
前記遅延低減情報は、さらに、少なくともアップリンク専用物理チャネル（ＤＰＣＨ）関連情報、ダウンリンクＤＰＣＨ関連情報、ダウンリンク無線リンク関連情報、電力制御構成、或は潜在的な高速ダウンリンク共用チャネル（ＨＳ−ＤＳＣＨ）構成を含むことを特徴とする請求項２７に記載のユーザ機器。
【請求項２９】
前記遅延低減情報は、前記呼出メッセージの拡張で指示されることを特徴とする請求項２６に記載のユーザ機器。
【請求項３０】
前記遅延低減情報は、前記拡張において明示的に指示されることを特徴とする請求項２９に記載のユーザ機器。
【請求項３１】
前記遅延低減情報は、前記遅延減少情報を含む以前に送信されたダウンリンクメッセージに対するポインタによって、前記拡張に指示されることを特徴とする請求項２９に記載のユーザ機器。
【請求項３２】
前記送信器は、前記ＵＥから無線ベアラ再構成完了メッセージを送信する手段を有することを特徴とする請求項２６乃至３１のいずれかに記載のユーザ機器。
【請求項３３】
ＵＴＭＳネットワークにおいて無線ネットワーク制御局（ＲＮＣ、１０２）に接続可能であり、ＵＲＡ＿ＰＣＨ状態、ＣＥＬＬ＿ＰＣＨ状態、ＣＥＬＬ＿ＦＡＣＨ状態、またはＣＥＬＬ＿ＤＣＨ状態となることができ、呼出チャネル（ＰＣＨ）を介して前記ＲＮＣから呼出メッセージを受信する手段と、セル更新メッセージを前記ＲＮＣに送信する手段とを有するユーザ機器（ＵＥ、１０８）であって、
フォワードアクセスチャネル（ＦＡＣＨ）を介してセル更新確認メッセージを受信する手段と、
前記ＵＥを、前記ＵＲＡ＿ＰＣＨまたはＣＥＬＬ＿ＰＣＨ状態から、直接に前記ＣＥＬＬ＿ＤＣＨ状態に移行させる手段を有することを特徴とするユーザ機器。
【請求項３４】
ＵＴＭＳネットワークと、ＵＲＡ＿ＰＣＨ状態、ＣＥＬＬ＿ＰＣＨ状態、ＣＥＬＬ＿ＦＡＣＨ状態、またはＣＥＬＬ＿ＤＣＨ状態となることができ、データ送信開始メッセージを処理するための手段を含む複数のユーザ機器（ＵＥ、１０８）とに接続可能な無線ネットワーク制御局（ＲＮＣ、１０２）であって、
前記データ送信開始メッセージに遅延低減情報を導入する手段と、
前記データ送信開始メッセージにおける前記遅延減少情報によって、前記ＵＥを、前記ＵＲＡ＿ＰＣＨまたはＣＥＬＬ＿ＰＣＨ状態から、直接に前記ＣＥＬＬ＿ＤＣＨ状態に移行させる手段とを有することを特徴とする無線ネットワーク制御局。
【請求項３５】
前記データ送信開始メッセージは、ＵＥによって送信されたアップリンクセル更新メッセージであることを特徴とする請求項３４に記載の無線ネットワーク制御局。
【請求項３６】
前記遅延低減情報は、送信されるデータのトラフィック量が予め設定された閾値以上であるかどうかについての情報を含むことを特徴とする請求項３４又は３５に記載の無線ネットワーク制御局。
【請求項３７】
前記遅延低減情報はさらに、送信されるデータがユーザベアラで利用可能であるか、或はシグナリングベアラで利用可能であるかについての情報を含むことを特徴とする請求項３６に記載の無線ネットワーク制御局。
【請求項３８】
前記遅延低減情報は、前記セル更新メッセージの拡張に指示されることを特徴とする請求項３５乃至３７のいずれかに記載の無線ネットワーク制御局。
【請求項３９】
前記拡張は、少なくとも一つの専用フラグを有することを特徴とする請求項３８に記載の無線ネットワーク制御局。
【請求項４０】
前記拡張は、現在予約されたコードポイント、即ち、現存するセル更新メッセージに余分の値を有することを特徴とする請求項３８に記載の無線ネットワーク制御局。
【請求項４１】
前記ＲＮＣは、セル更新確認メッセージを前記ＵＥに送信し、前記ＵＥから無線ベアラ構成完了メッセージを受信する手段を含むことを特徴とする請求項３４乃至４０のいずれかに記載の無線ネットワーク制御局。
【請求項４２】
前記データ送信開始メッセージは、前記ＲＮＣによって送信されたダウンリンク呼出メッセージであることを特徴とする請求項３４に記載の無線ネットワーク制御局。
【請求項４３】
前記遅延低減情報は、情報パラメータである、物理及び転送チャネル構成パラメータと、コード割当及び無線ベアラ構成と、アイデンティティパラメータ（Ｕ−ＲＮＴＩ）の内のいずれかを含むことを特徴とする請求項３４又は４２に記載の無線ネットワーク制御局。
【請求項４４】
前記遅延低減情報はさらに、少なくともアップリンク専用物理チャネル（ＤＰＣＨ）関連情報、ダウンリンクＤＰＣＨ関連情報、ダウンリンク無線リンク関連情報、電力制御構成、或は潜在的な高速ダウンリンク共用チャネル（ＨＳ−ＤＳＣＨ）構成を含むことを特徴とする請求項４３に記載の無線ネットワーク制御局。
【請求項４５】
前記呼出メッセージの拡張に前記遅延低減情報を指示する手段をさらに有することを特徴とする請求項３４に記載の無線ネットワーク制御局。
【請求項４６】
前記拡張に明示的に前記遅延低減情報を指示する手段をさらに有することを特徴とする請求項４５に記載の無線ネットワーク制御局。
【請求項４７】
前記遅延低減情報を含む以前に送信されたダウンリンクメッセージに対するポインタによって、前記拡張で前記遅延低減情報を指示するための手段をさらに有することを特徴とする請求項４２に記載の無線ネットワーク制御局。
【請求項４８】
前記ＵＥから無線ベアラ再構成完了メッセージを受信する手段をさらに有することを特徴とする請求項４２乃至４７のいずれかに記載の無線ネットワーク制御局。
【請求項４９】
ＵＴＭＳネットワークと、ＵＲＡ＿ＰＣＨ状態、ＣＥＬＬ＿ＰＣＨ状態、ＣＥＬＬ＿ＦＡＣＨ状態、及びＣＥＬＬ＿ＤＣＨ状態となることができる複数のユーザ機器（ＵＥ）とに接続可能であり、呼出チャネル（ＰＣＨ）を介して呼出メッセージを前記ＵＥに送信する手段と前記ＵＥからセル更新メッセージを受信する手段とを有する無線ネットワーク制御局（ＲＮＣ）であって、
フォワードアクセスチャネル（ＦＡＣＨ）でセル更新完了メッセージを送信する手段と、
前記ＵＥを、前記ＵＲＡ＿ＰＣＨまたはＣＥＬＬ＿ＰＣＨ状態から、直接に前記ＣＥＬＬ＿ＤＣＨ状態に移行させる手段とを有することを特徴とする無線ネットワーク制御局。
【発明の詳細な説明】
【技術分野】
【０００１】
本発明は移動体通信ネットワークの方法及び構成に関する。特に、本発明はＵＭＴＳ無線アクセスネットワーク（ＵＴＲＡＮ）におけるデータ送信の初期化に関係した時間遅延を低減させるための方法及び構成に関する。
【背景技術】
【０００２】
図１は全地球的移動体電話システム（ＵＴＭＳ）を示している。ＵＴＭＳネットワークはインターネットと、例えば、ＧＳＭシステムのような他の移動体ネットワークと、図１においてＰＯＴＳとして示された固定電話通信綱のような他のネットワークに接続可能なコアネットワーク（ＣＮ）１００を含む。ＣＮ１００はＵＭＴＳ無線アクセスネットワーク（ＵＴＲＡＮ）に属する複数の無線ネットワーク制御局（ＲＮＣ）１０２に接続される。各ＲＮＣ１０２は一つ以上の基地局を含む複数のノードＢ１０４を制御する。各基地局は、領域、即ち、セル１０６をカバーし、前記セル内で移動端末にサービスを行なうために構成される。結局、ユーザ機器（ＵＥ）として言及される複数の移動端末１０８もまた、一つ以上の基地局１０４に接続される。
【０００３】
ＵＴＲＡＮにおいて、ユーザ機器（ＵＥ）はそのユーザのアクティビティに依存して複数のＲＲＣ状態の内の一つの状態にあることができる。これらの状態はアイドルモード、ＵＲＡ＿ＰＣＨ、ＣＥＬＬ＿ＰＣＨ、ＣＥＬＬ＿ＦＡＣＨ、及びＣＥＬＬ＿ＤＣＨを含み、この順番でユーザアクティビティが増加していくようにリストされている。
【０００４】
ＣＥＬＬ＿ＰＣＨとＵＲＡ＿ＰＣＨ状態では、何の通信も可能ではなく、最小の無線及びバッテリ資源が消費される。ＵＥが送信するデータを有する時、ＵＥはアップリンクデータが利用可能であるということを示唆するセル更新メッセージをＵＴＲＡＮに送信する必要がある。ＵＴＲＡＮがＣＥＬＬ＿ＰＣＨ状態またはＵＲＡ＿ＰＣＨ状態でＵＥに送信するデータを有する時、ＵＴＲＡＮはそのＵＥに呼出メッセージを送信する必要があり、ＵＥはセル更新メッセージで応答し、自分が位置するセルを示す。
【０００５】
ＣＥＬＬ＿ＦＡＣＨ状態では、通信は可能であるが、この状態で用いられる共有チャネルの特性のためにデータ速度は低速で、往復時間は長い。この状態でのＵＥは、ＣＥＬＬ＿ＰＣＨ／ＵＲＡ＿ＰＣＨに比べて無線資源をより多く消費するが、ＣＥＬＬ＿ＤＣＨに比べて消費する資源は少ない。
【０００６】
ＣＥＬＬ＿ＤＣＨ状態では、ＵＥは、高速データ速度と短い往復時間での通信が可能であること示唆する利用可能な専用チャネルをもつ。
【０００７】
ＣＥＬＬ＿ＤＣＨ状態では、ＵＥは、データ速度と往復時間の観点からは最良のユーザ性能を提供するが、例えば、電力とコードとの観点からは最も多くの資源を消費する。従って、データ送信が中断される時、ユーザをもっと低い状態に移動させることが必要であるかもしれない。多くのアプリケーションでの代表的なケースとは、データバースト送信が開始される時、ＵＥがＣＥＬＬ＿ＰＣＨ状態またはＵＲＡ＿ＰＣＨ状態となるようにデータ送信をほとんど発生させないことである。このことは、良好なユーザ性能をもつために、ＣＥＬＬ＿ＰＣＨ／ＵＲＡ＿ＰＣＨ状態からＣＥＬＬ＿ＤＣＨ状態に移行するための遅延が最小となる必要があるということを意味する。もし、アプリケーションが少ないデータオブジェクトを送信するなら、状態を変化させるための時間はＤＣＨでのデータ送信速度よりユーザ性能にもっと重大な影響をもつであろう。プッシュ−ツウ−トーク（ＰＴＴ）サービスは一例であり、この場合には、多少少ないオブジェクトがたまに送信されるだけである。このサービスは、ＣＥＬＬ＿ＰＣＨ／ＵＲＡ＿ＰＣＨ状態の端末がトークバーストの受信器であれば、ネットワーク側からバーストで開始することができる。このサービスにおいて、（ＣＥＬＬ＿ＤＣＨ状態への移行を含む）データオブジェクトを送信するための遅延は、その大部分は、ＣＥＬＬ＿ＰＣＨ／ＵＲＡ＿ＰＣＨ状態からＣＥＬＬ＿ＤＣＨ状態に移行するための時間によって決定される。
【０００８】
ＣＥＬＬ＿ＰＣＨ／ＵＲＡ＿ＰＣＨ状態のＵＥがアップリンクデータを送信する必要がある時、代表的なシグナリングシーケンスが図２に示されている。ステップ１で、ＵＥは自分が送信に利用可能なアップリンクデータをもっていることを示すセル更新メッセージを送信する。ステップ２では、ＵＴＲＡＮはセル更新メッセージを確認応答するセル更新確認メッセージを送信することで応答し、ＵＥがデータ送信可能なＣＥＬＬ＿ＦＡＣＨ状態に入るように命令する。ステップ３で、ＵＥはＵＴＲＡＮ移動情報確認メッセージを送信してセル更新確認メッセージに確認応答する。これでＵＥがＲＡＣＨでデータを送信することが可能となる。即ち、ＵＥはＣＥＬＬ＿ＦＡＣＨ状態にある。３ＧＰＰ技術仕様でトラフィック量として示される利用可能なデータ量が設定された閾値以上であれば、ＵＥはその利用可能なデータ量に関してＵＴＲＡＮに通知するために、測定レポートを送信する（ステップ４）。ＵＴＲＡＮが測定レポートを受信する時、ＵＴＲＡＮは、ＲＡＣＨが非常に制限された性能しかないので、ＵＥをＣＥＬＬ＿ＤＣＨ状態に移行させることを決定することができる。従って、ＵＴＲＡＮは、ステップ５で無線ベアラ再構成メッセージを送信してＵＥをＣＥＬＬ＿ＤＣＨ状態に移行させる。ステップ６では、ＵＥは受信されたメッセージに確認応答する無線ベアラ再構成確認メッセージで応答する。これで、ＵＥはＣＥＬＬ＿ＤＣＨ状態に入り、ＤＣＨでデータを送信することができる。
【０００９】
同様に、図３はＣＥＬＬ＿ＰＣＨ／ＵＲＡ＿ＰＣＨ状態のＵＥが、ダウンリンクデータを受信する必要がある時の代表的なシグナリングシーケンスを示す図である。ステップ１で、ＵＥは呼出メッセージを受信する。ＵＥはそのような呼出メッセージに応答する。ステップ２で、ＵＥは呼出メッセージを受信したことを示すセル更新メッセージを送信することで、呼出メッセージに応答する。ステップ３で、ＵＴＲＡＮはセル更新メッセージを確認応答するセル更新確認メッセージを送信することで応答し、ＵＥがデータ送信可能なＣＥＬＬ＿ＦＡＣＨ状態に入るように命令する。ステップ４で、ＵＥはＵＴＲＡＮ移動情報確認メッセージを送信してセル更新確認メッセージに確認応答する。これで、ＵＥがＦＡＣＨでデータを受信することが可能となる（即ち、ＵＥがＣＥＬＬ＿ＦＡＣＨ状態にある）。ＲＮＣでこのＵＥのためにバッファリングされる利用可能なデータ量（３ＧＰＰ技術仕様ではトラフィック量として示される）が、ＵＴＲＡＮによって評価されたように十分に高ければ、ＦＡＣＨが非常に制限された性能しかないので、ＵＴＲＡＮはＵＥをＣＥＬＬ＿ＤＣＨ状態に移行させることを決定することができる。従って、ＵＴＲＡＮはＵＥをＣＥＬＬ＿ＤＣＨ状態に移行させるために、ステップ５で無線ベアラ再構成メッセージを送信する。ステップ６で、ＵＥは受信されたメッセージに確認応答する無線ベアラ再構成完了メッセージで応答する。これで、ＵＥはＣＥＬＬ＿ＤＣＨ状態に入り、ＤＣＨを介してデータを受信することができる。
【００１０】
ＵＥをＣＥＬＬ＿ＰＣＨ／ＵＲＡ＿ＰＣＨ状態からＣＥＬＬ＿ＤＣＨ状態に移行させるための別の代替案を図４を参照して説明する。この代替案によると、セル更新確認メッセージで直接的にＵＥをＣＥＬＬ＿ＤＣＨ状態に移行するように命令することが現在の３ＧＰＰ技術仕様で可能である。これは図４に示されているようなシグナリングシーケンスの結果となる。この代替案では、ＵＴＲＡＮは、ステップ２でセル更新確認メッセージによってＵＥが既にＣＥＬＬ＿ＤＣＨ状態となるように命令する。ＵＥは、ステップ３で無線ベアラ再構成完了メッセージで応答した後、ＤＣＨを介してデータの送信を開始することができる。
【００１１】
同様に、図５は、ＵＴＲＡＮが送信を開始したケースにおいて、ＵＥをＣＥＬＬ＿ＰＣＨ／ＵＲＡ＿ＰＣＨ状態からＣＥＬＬ＿ＤＣＨ状態に移行させるための代替的シグナリングシーケンスを示す。ここで、ＵＴＲＡＮは、ステップ３でセル更新確認メッセージによってＵＥが既にＣＥＬＬ＿ＤＣＨ状態となるように命令する。ＵＥは、ステップ４で無線ベアラ再構成完了メッセージで応答した後、ＤＣＨを介してデータの受信を開始することができる。
【００１２】
図３で上述したＵＥが送信を開始した場合のための代替的なシグナリングシーケンスは、通常のシーケンスより非常に高速である。実際に、ＣＥＬＬ＿ＰＣＨ／ＵＲＡ＿ＰＣＨ状態からＣＥＬＬ＿ＤＣＨ状態に移行するための時間は半分以下となり得る。
【発明の開示】
【発明が解決しようとする課題】
【００１３】
しかしながら、この代替的シーケンスはまた、ＵＴＲＡＮがＵＥの送信に利用可能なデータ量について何の情報ももたないという問題を伴う。セル更新メッセージはただ、“アップリンクデータ送信”の場合において、セル更新に対する原因を示す原因値を含むだけである。
【００１４】
これは、ＵＴＲＡＮがＵＥのＣＥＬＬ＿ＤＣＨ状態に移行することが必要であるか、または望まれているかどうかに対して分からないまま、ＵＥをＣＥＬＬ＿ＤＣＨ状態に移行させなければならないということを意味する。少ないデータ対象に対して、ＣＥＬＬ＿ＦＡＣＨ状態での送信時間は、ＤＣＨチャネルをセットアップするための比較的に大きい遅延のために、ＣＥＬＬ＿ＤＣＨ状態での送信時間より小さい。従って、利用可能なデータ量が小さい時、ＵＥがＣＥＬＬ＿ＤＣＨ状態に移行されれば、これは実際にユーザ性能を低下させることになる。ユーザをＤＣＨに移行させることがネットワーク資源を消費することと仮定すれば、必要のない時、ＵＥがＤＣＨに移行されれば、これらの資源が浪費される。
【００１５】
また、図５に戻ると、前記図面で説明したＵＴＲＡＮが開始した送信に対する代替的なのシグナリングシーケンスが図３のシーケンスよりもいくらか高速のように思われる。しかしながら、ＵＴＲＡＮは、ＵＥに対するダウンリンクバッファについての情報全てを有し、ＵＥがＣＥＬＬ＿ＤＣＨ状態に移行すべきであるという呼出タイプ１メッセージをいつ送信するのかを既に分かっているので、ＵＥがＣＥＬＬ＿ＤＣＨ状態へと移行続ける前に、ＣＥＬＬ＿ＦＡＣＨ状態を介してＵＥを作動させる必要がない。ＣＥＬＬ＿ＦＡＣＨ状態でのセル更新手順（図５のステップ２及び３）を実行することは、いくつかのユーザによって用いられる共通チャネルに基づいてメッセージが競合して送られるので、実質的に多くの時間がかかる。従って、ＣＥＬＬ＿ＦＡＣＨ状態でこれらステップを取り除くことで、ＵＥがＣＥＬＬ＿ＰＣＨ／ＵＲＡ＿ＰＣＨ状態からＣＥＬＬ＿ＤＣＨ状態に直接に移行すれば、シーケンスをもっと高速にできる。このより高速なシーケンスは、現在のところ３ＧＰＰ技術仕様ではサポートされていない。
【００１６】
発明の要約
従って、本発明の目的は、データ送信の開始で遅延時間を低減させるための方法及び構成を達成することにある。
【課題を解決するための手段】
【００１７】
従って、本発明の課題は、請求項１、９、及び１７の特徴を有する方法によって解決される。また、この課題は、請求項３４及び４９の特徴を有するＲＮＣによって、及び請求項１８及び３３の特徴を有するＵＥによって解決される。
【００１８】
本発明に従うＵＥでの方法は、ＵＥによってデータ送信開始メッセージに遅延低減情報を導入する工程と、そのＵＥによって前記データ送信開始メッセージを送信する工程と、前記データ送信開始メッセージにおける前記遅延低減情報によって、前記ＵＥをＵＲＡ＿ＰＣＨ状態またはＣＥＬＬ＿ＰＣＨ状態から、直接にＣＥＬＬ＿ＤＣＨ状態に移行させるための情報を含むＲＮＣからのメッセージを受信する工程とを有し、データ送信開始での遅延を低減することを可能としている。
【００１９】
本発明に従うＲＮＣでの方法は、そのＲＮＣによってデータ送信開始メッセージに遅延低減情報を導入する工程と、そのＲＮＣによって前記データ送信開始メッセージを送信する工程と、前記データ送信開始メッセージにおける前記遅延低減情報によって、ＵＥをＵＲＡ＿ＰＣＨ状態またはＣＥＬＬ＿ＰＣＨ状態から直接にＣＥＬＬ＿ＤＣＨ状態に移行させるための情報を含むＲＮＣからの更なるメッセージを送信する工程とを有し、データ送信開始での遅延を低減することを可能としている。
【００２０】
本発明に従うＲＮＣでの方法は、フォワードアクセスチャネル（ＦＡＣＨ）を介してセル更新確認メッセージを送信する工程と、ＵＥをＵＲＡ＿ＰＣＨまたはＣＥＬＬ＿ＰＣＨ状態から直接にＣＥＬＬ＿ＤＣＨ状態に移行させる工程とを含み、データ送信開始での遅延を低減することを可能としている。
【００２１】
本発明に従うＲＮＣは、データ送信開始メッセージに遅延低減情報を導入する手段と、そのデータ送信開始メッセージにおける遅延減少情報によって、ＵＥをＵＲＡ＿ＰＣＨまたはＣＥＬＬ＿ＰＣＨ状態から直接にＣＥＬＬ＿ＤＣＨ状態に移行させる手段とを有し、データ送信開始での遅延を低減することを可能としている。
【００２２】
本発明に従うＲＮＣは、フォワードアクセスチャネル（ＦＡＣＨ）を介してセル更新確認メッセージを送信する手段と、ＵＥをＵＲＡ＿ＰＣＨまたはＣＥＬＬ＿ＰＣＨ状態から直接にＣＥＬＬ＿ＤＣＨ状態に移行させる手段とを有し、データ送信開始での遅延を低減することを可能としている。
【００２３】
本発明に従うＵＥは、データ送信開始メッセージに遅延低減情報を導入する手段と、前記データ送信開始メッセージを送信する送信器と、前記データ送信開始メッセージにおける遅延低減情報によって、ＵＥ（１０８）をＵＲＡ＿ＰＣＨまたはＣＥＬＬ＿ＰＣＨ状態から直接にＣＥＬＬ＿ＤＣＨ状態に移動させるための情報を含むＲＮＣ（１０２）からのメッセージを受信するための受信器とを有し、データ送信開始での遅延を低減することを可能としている。
【００２４】
本発明に従うＵＥは、フォワードアクセスチャネル（ＦＡＣＨ）を介してセル更新確認メッセージを受信する手段と、ＵＥをＵＲＡ＿ＰＣＨまたはＣＥＬＬ＿ＰＣＨ状態から直接にＣＥＬＬ＿ＤＣＨ状態に移行させる手段とを有し、データ送信開始での遅延を低減することを可能としている。
【００２５】
好適な実施例は従属項によって定義される。
【００２６】
本発明の他の目的、利点、及び特徴は、添付図面及び請求項と関連付けて考慮する時、次の本発明の詳細な説明から明らかになるであろう。
【発明を実施するための最良の形態】
【００２７】
本発明の方法及び構成は、図１に示されているように、ＵＴＭＳネットワークにおいて実現することができる。無線ネットワーク制御局（ＲＮＣ）１０２は、ＵＴＭＳネットワークと、ＵＲＡ＿ＰＣＨ、ＣＥＬＬ＿ＰＣＨ、ＣＥＬＬ＿ＦＡＣＨ、またはＣＥＬＬ＿ＤＣＨ状態となることができる複数のユーザ機器（ＵＥ）１０８に接続可能である。
【００２８】
データ送信の開始での遅延を低減させるための本発明の目的は、ＵＥをＵＲＡ＿ＰＣＨまたはＣＥＬＬ＿ＰＣＨ状態から直接にＣＥＬＬ＿ＤＣＨ状態に移行させることで達成される。それは、データ送信を開始するユニット、即ち、ＵＴＲＡＮのＵＥまたはＲＮＣからのデータ送信開始メッセージの送信によって達成される。そのデータ送信開始メッセージは、ＵＥがＵＲＡ＿ＰＣＨまたはＣＥＬＬ＿ＰＣＨ状態から直接にＣＥＬＬ＿ＤＣＨ状態へ移行するために用いられる遅延低減情報を有する。
【００２９】
従って、本発明に従うＲＮＣは、データ送信開始メッセージを処理する手段と、そのデータ送信開始の遅延低減情報を受信する手段とを含む。ＲＮＣはさらに、データ送信開始メッセージにおける遅延低減情報によって、ＵＥをＵＲＡ＿ＰＣＨまたはＣＥＬＬ＿ＰＣＨ状態から直接にＣＥＬＬ＿ＤＣＨ状態に移行させる手段を有する。
【００３０】
従って、本発明に従うＵＥは、データ送信開始メッセージを処理する手段と、データ送信開始メッセージに遅延低減情報を導入する手段とを有する。そのＵＥはさらに、データ送信開始メッセージを送信する送信器と、そのデータ送信開始メッセージにおける遅延低減情報によって、ＵＥ１０８をＵＲＡ＿ＰＣＨまたはＣＥＬＬ＿ＰＣＨ状態から直接にＣＥＬＬ＿ＤＣＨ状態に移動させるための情報を含むＲＮＣ１０２からのメッセージを受信する受信器とを有する。
【００３１】
ＵＥがデータ送信を開始
本発明の一実施例によれば、データ送信開始メッセージは、ＵＥによって送信されるアップリンクセル更新メッセージである。そのセル更新メッセージは、トラフィック量測定で拡張できるということが知られている。しかしながら、エアインタフェースの制限とセル更新がＲＬＣトランスペアレントモードで送信されるという事実のために、必要とされる程度にまでそのメッセージサイズを拡張することは望ましくない。
【００３２】
上述した問題の解決策は、メッセージサイズを著しく増加させることなく、トラフィック量についてある遅延低減情報を提供するようにしてセル更新メッセージを修正することである。その概念的な思想とは、トラフィック量を明示的に示す代りに、例えば、トラフィック量が以前に設定された閾値以上であるかどうかが、閾値に関係して示されることである。この閾値はＵＴＲＡＮによって構成可能である。
【００３３】
通常、もしトラフィック量が、閾値と、セル更新メッセージにフラグを設定するために用いられる測定レポートの送信の契機となるために用いられるのと潜在的には同じ値とを超過するならば、ＣＥＬＬ＿ＦＡＣＨ状態で測定レポートが送信されるようにＵＥのトラフィック量測定が構成される。この方法は、ダウンリンクシグナリングが変更される必要がないことを意味する。しかしながら、セル更新メッセージの閾値はまた、別々にも構成され得る。
【００３４】
トラフィック量情報に加えて、例えば、アップリンクデータがユーザ無線ベアラで利用可能であるか、或はシグナリング無線ベアラで利用可能であるかについて更なる遅延低減情報を示すことは有益である。また、これは一実施例に従うセル更新メッセージでも示される。この追加的情報があることの利点は、シグナリング無線ベアラでの送信が時間的に延長されることが期待されないので、データがシグナリング無線ベアラからくると、ＵＴＲＡＮがＵＥをＣＥＬＬ＿ＤＣＨ状態に移行させないように選択することができる点にある。
【００３５】
ＣＥＬＬ＿ＰＣＨ状態及びＵＲＡ＿ＰＣＨ状態からのＤＣＨセットアップ時間を減少させるため、ＣＥＬＬ＿ＤＣＨ状態への直接的な切り替えを行うことができることが本発明の目的である。直接的な切り替えを容易にするため、本発明は、例えば、ＵＥが好ましくはトラフィック量測定の契機となる閾値と同じである設定閾値以上のトラフィック量を有しているかどうかを示すためにＣＥＬＬ＿ＵＰＤＡＴＥメッセージのフォーマットを変更することを提案している。それはもはや一つのＲＬＣ  ＰＤＵにフィットしないように利用可能なＵＬトラフィック量についての情報をもつ改善されたＣＥＬＬ＿ＵＰＤＡＴＥメッセージのサイズの顕著な増加を示唆するので、代替案とは、そのトラフィック量が、例えば、トラフィック量測定のために構成されたトラフィック量の閾値以上であるかどうかをフラグで表示することである。この情報は、ＵＥがＣＥＬＬ＿ＤＣＨ状態に移行すべきかどうかという決定でＵＴＲＡＮを支援するために充分に考慮され、ＣＥＬＬ＿ＰＣＨ／ＵＲＡ＿ＰＣＨ状態からＣＥＬＬ＿ＤＣＨ状態への直接的な移行を容易にできる。
【００３６】
次に、前記情報を指示するための二つの考えられる実施例を非限定的な例として説明する。
【００３７】
本発明の一実施例において、遅延低減情報はセル更新メッセージの拡張で指示される。例えば、ＵＥのトラフィック量が閾値以上であれば、セル更新メッセージは、フラグ、例えば、閾値との関連性を示す１ビットで拡張される。トラフィック量がＳＲＢ（シグナリングベアラ）またはＲＢ（無線ベアラ）（或は両方）で利用可能であるかどうかを区別することができるために潜在的には第２のビットが用いられる。これによりメッセージ拡張のコーディングに要求されるものなどを含むいくつかのビットを有するようにメッセージサイズを拡張させる。
【００３８】
本発明の他の実施例では、現在のところ予約されたコードポイントを用いる。現在のセル更新メッセージには、いくつかの余分の値、即ち、現在は用いられていないが現存するメッセージコーディングで送信できるコードポイントがある。従って、例えば、トラフィック量が閾値以上であれば、そのトラフィック量を示すためにセル更新メッセージで予約されたコードポイントの一つを用いることが本発明の可能な実施例となる。潜在的には、最大いくつかのコードポイントが用いられ、トラフィック量がＳＲＢまたはＲＢ（または両方）で利用可能であるかどうかを区別することができる。例えば、コードポイントＩはＲＢで閾値以上のトラフィック量を示すことができ、コードポイントIIはＳＲＢで閾値以上のトラフィック量を示すことができ、コードポイントIIIは、ＳＲＢとＲＢの両方で閾値以上のトラフィック量を示すことができる。この方法は、メッセージサイズをまったく増加させない。
【００３９】
本発明に従う方法により、トラフィック量が大きい場合、ユーザ機器を迅速にＣＥＬＬ＿ＤＣＨ状態に移行させることと、そのトラフィック量が少ない場合、ユーザ機器をＣＥＬＬ＿ＦＡＣＨ状態に移行させることが可能になる。この方法は、ＤＣＨセットアップ時間を著しく減少させるＤＣＨ状態への直接的な移行を容易にする。従って、この方法は、データが送信される必要がある時、例えば、ウェブサーフィン時、ＵＥが通常、ＣＥＬＬ＿ＵＲＡ＿ＰＣＨ状態である場合にアプリケーションに対する性能を非常に改善することができる。
【００４０】
ＵＴＲＡＮがデータ送信を開始
ＵＴＲＡＮが開始したＣＥＬＬ＿ＰＣＨ／ＵＲＡ＿ＰＣＨ状態からＣＥＬＬ＿ＤＣＨ状態への移行が実行される時、本発明に従えば、ＵＥは、ＣＥＬＬ＿ＦＡＣＨ状態でＵＴＲＡＮとＵＥとの間でのメッセージが交換なく、ＣＥＬＬ＿ＤＣＨ状態に直接に移行する。従って、ＣＥＬＬ＿ＰＣＨ／ＵＲＡ＿ＰＣＨ状態からＣＥＬＬ＿ＤＣＨ状態への移行は、呼出メッセージが本発明の他の実施例に従うＤＣＨ構成を含むので、もっと高速となる。この結果、図６に示されているようなシグナリングシーケンスとなる。この実施例では、ＵＴＲＡＮは、ステップ１の呼出タイプ１でのメッセージであるデータ送信開始メッセージによって、ＵＥがすぐＣＥＬＬ＿ＤＣＨ状態となるように命令する。ＵＥは、ステップ２で無線ベアラ再構成完了メッセージで応答した後、ＤＣＨを介してデータ受信を開始することができる。この解決策を可能とするために、多数の情報要素が呼出タイプ１のメッセージに追加される必要がある。実際に、図５においてセル更新確認に存在する内容は、呼出メッセージに追加することが有益であるかもしれない。また、セル更新確認の内容に比べて、呼出タイプ１メッセージに用いられるアイデンティティは、Ｕ−ＲＮＴＩであり、Ｃ−ＲＮＴＩではない。
【００４１】
データ送信開始メッセージの遅延低減情報の例である呼出タイプ１メッセージは、本発明のこの実施例に従えば、
物理チャネル及び送信チャネル構成パラメータと、周波数、ＵＬ＿ＤＰＣＨ情報（例えば、スクランブルコード、拡散因子、ＴＦＣＩ構成）、ＤＬ＿ＤＰＣＨ情報（例えば、拡散因子、速度マッチング、電力オフセット）、ＤＬ＿ＲＬ情報（例えば、プライマリＣＰＩＣＨ）、電力制御構成、及び潜在的なＨＳ−ＤＳＣＨ構成のようなコード割当及び無線ベアラ構成である。
【００４２】
ＲＢと送信チャネルとに関係した他のいくつかの情報も有益であるかもしれないが、呼出タイプ１メッセージが送信モードで送信され、分割または再送信なしにサイズが制限される必要があるので、決定的な情報だけがここにリストされている。
【００４３】
なお、ＵＥがＵＲＡ＿ＰＣＨ状態である時、ＵＥが位置したセルは通常知られないので、本発明はこのシナリオに対しての使用は制限される。これはＵＲＡに属する全てのセルにおいて、ＵＥのための専用チャネルを確立しないためにＵＥが位置したセルで呼出メッセージをいつ送信するのかをＵＴＲＡＮが既に知る必要があるからである。もちろん、これは実行可能であるが、もしかすると無線資源の無駄使いを意味することにもなる。
【００４４】
従って、本発明は、特に、ＣＥＬＬ＿ＰＣＨでのＵＥに有益である。ＵＲＡ＿ＰＣＨでのＵＥに対して、ＵＥがセルでの自分の存在を比較的最近にＵＴＲＡＮに知らせる場合に有益である。
【００４５】
次に、呼出タイプ１メッセージの拡張で遅延低減情報を示すための二つの考えられる実施例を非限定的な例として説明する。
【００４６】
明示的な指示：呼出タイプ１メッセージは、ＣＥＬＬ＿ＤＣＨ状態への直接的な移行を実行するために必要な明示的な情報で拡張される。
【００４７】
暗示的な指示：呼出タイプ１メッセージで空間を節約するため、ＵＥをＣＥＬＬ＿ＰＣＨ／ＵＲＡ＿ＰＣＨ状態に移行させる以前に送信されたダウンリンクメッセージ（例えば、ＲＢ再構成メッセージ）は、遅延低減情報、即ち、後の段階でＣＥＬＬ＿ＤＣＨ状態への直接的な移行を実行するために必要な構成の全体または一部を含む。呼出タイプ１メッセージそれ自身は長い時間以後に送信されることができ、ＵＥが用いるべき実際のコードと既に送信された物理チャネル構成に対するポインタとの内、少なくともいずれかを有するのみである。
【００４８】
ＤＣＨ情報を有する呼出メッセージを拡張するための代替案として、ＦＡＣＨの代りにセル更新確認メッセージが変更されて呼出チャネルを介して送信される（図５のステップ１）。この方法は、トラフィック量が大きい場合、ＵＥがＣＥＬＬ＿ＤＣＨ状態に速く移行することを可能にする。この方法は、ＤＣＨセットアップ時間を著しく減少させるＤＣＨへの直接的な移行を容易にする。この方法は、データがＵＥに送信される必要がある時（例えば、ＰＴＴ（プッシュ−トウ−トーク）サービス）、ＵＥが通常ＣＥＬＬ＿ＰＣＨ／ＵＲＡ＿ＰＣＨ状態である場合でのアプリケーションに対する性能を非常に向上させることができる。
【００４９】
従って、本発明に従うＲＮＣは、呼出チャネル（ＰＣＨ）を介してＵＥに呼出メッセージを送信する手段と、そのＵＥからのセル更新メッセージを受信する手段とを有する。ＲＮＣはさらに、フォワードアクセスチャネル（ＦＡＣＨ）を介してセル更新確認メッセージを送信する手段と、ＵＥをＵＲＡ＿ＰＣＨまたはＣＥＬＬ＿ＰＣＨ状態から直接にＣＥＬＬ＿ＤＣＨ状態に移行させる手段とをさらに有する。
【００５０】
従って、ＵＥはＲＮＣからの呼出チャネル（ＰＣＨ）を介して呼出メッセージを受信する手段と、ＲＮＣにセル更新メッセージを送信する手段とを有する。そのＵＥはさらにフォワードアクセスチャネル（ＦＡＣＨ）を介してセル更新確認メッセージを受信する手段と、ＵＥをＵＲＡ＿ＰＣＨまたはＣＥＬＬ＿ＰＣＨ状態から直接にＣＥＬＬ＿ＤＣＨ状態に移行させる手段とをさらに有する。
【００５１】
図面及び説明において本発明の代表的な好適な実施例が開示されており、特定の用語が用いられているが、それらは一般的に説明的な意味だけに用いられているので、本発明を限定するために用いられているのではない。本発明の範囲は請求の範囲によって明らかにされる。
【図面の簡単な説明】
【００５２】
【図１】ＵＴＭＳネットワークを模式的に示す図である。
【図２】従来技術に従うＵＥが送信を開始したケースで、ＵＥをＣＥＬＬ＿ＰＣＨ／ＵＲＡ＿ＰＣＨ状態からＣＥＬＬ＿ＤＣＨ状態に移行させるためのシグナリングシーケンスを示す図である。
【図３】ＵＴＲＡＮが送信を開始したケースで、ＵＥをＣＥＬＬ＿ＰＣＨ／ＵＲＡ＿ＰＣＨ状態からＣＥＬＬ＿ＤＣＨ状態に移行させるための通常のシグナリングシーケンスを示す図である。
【図４】ＵＥが送信を開始したケースで、ＵＥをＣＥＬＬ＿ＰＣＨ／ＵＲＡ＿ＰＣＨ状態からＣＥＬＬ＿ＤＣＨ状態に移行させるための代替的シグナリングシーケンスを示す図である。
【図５】ＵＴＲＡＮが送信を開始したケースで、ＵＥをＣＥＬＬ＿ＰＣＨ／ＵＲＡ＿ＰＣＨ状態からＣＥＬＬ＿ＤＣＨ状態に移動させるための代替的シグナリングシーケンスを示す図である。
【図６】ＵＴＲＡＮが送信を開始したケースで、ＵＥをＣＥＬＬ＿ＰＣＨ／ＵＲＡ＿ＰＣＨ状態からＣＥＬＬ＿ＤＣＨ状態に移動させるための改善したシグナリングシーケンスを示す図である。
【図７】ＤＣＨに用いられる物理チャネル構成を前もって構成し、ＵＴＲＡＮが送信を開始したケースで、ＵＥをＣＥＬＬ＿ＰＣＨ／ＵＲＡ＿ＰＣＨ状態からＣＥＬＬ＿ＤＣＨ状態に移動させるための改善したシグナリングシーケンスを示す図である。
【図１】
2007522763.tif 000003
【図２】
2007522763.tif 000004
【図３】
2007522763.tif 000005
【図４】
2007522763.tif 000006
【図５】
2007522763.tif 000007
【図６】
2007522763.tif 000008
【図７】
2007522763.tif 000009
【国際調査報告】
2007522763.tif 000010
2007522763.tif 000011